(57)【要約】【課題】  ロッドレンズなどを設けて効果的な光の照射を可能にするとともに、このロッドレンズなどを容易に交換することができる光照射装置を提供する。【解決手段】  光照射装置１は、ＬＥＤ１３を有するＬＥＤホルダユニット１０とロッドレンズ２４を有するレンズユニット２０とを備えている。また、ＬＥＤ１３には、ＬＥＤ駆動部２に設けられたＬＥＤ駆動回路がケーブル部３に設けられた可とう性ケーブル３２を介して接続されている。また、ＬＥＤホルダユニット１０は、ねじ１７によってレンズユニット２０に固定されている。このねじ１７を取り外すことにより、レンズユニット２０は、ＬＥＤホルダユニット１０に対して容易に着脱可能とされている。【選択図】  図１
2005251588.tif 000002
【特許請求の範囲】
【請求項１】
発光素子を備える光照射ヘッドと、前記発光素子を駆動する駆動ユニットと、前記光照射ヘッドおよび前記駆動ユニットに接続され、前記発光素子に対して電力を供給する可とう性ケーブルと、を有し、
前記光照射ヘッドは、
前記発光素子を収容する発光素子収容部を備える発光素子ホルダユニットと、
レンズを備え、前記発光素子ホルダユニットに対して着脱可能に固定されたレンズユニットと、
を有することを特徴とする光照射装置。
【請求項２】
前記発光素子収容部は、前記発光素子が発する熱を放射する放熱性を有する請求項１に記載の光照射装置。
【請求項３】
前記発光素子ホルダユニットは、前記発光素子を前記発光素子収容部に固定する発光素子固定板を備える請求項１または請求項２に記載の光照射装置。
【請求項４】
前記発光素子からの光を遮断可能とするシャッタが設けられている請求項１から請求項３のうちのいずれか１項に記載の光照射装置。
【請求項５】
前記レンズユニットは、前記レンズが取り付けられる鏡筒を備えており、
前記レンズを前記鏡筒に押さえ付けるレンズ押さえ板を有する請求項１から請求項４のうちのいずれか１項に記載の光照射装置。
【発明の詳細な説明】
【技術分野】
【０００１】
本発明は、光照射装置に係り、特に、可とう性ケーブルの先端に発光素子が取り付けられている光照射装置に関する。
【背景技術】
【０００２】
発光素子、たとえば発光ダイオード（Light Emitting Diode、以下「ＬＥＤ」という）から発せられる光を照射する光照射装置として、従来、特開２０００−３１６８８１号公報に開示された光照射器がある。この光照射器は、支持体の先端に小型発光素子が取り付けられたものであり、小型発光素子から発せられる光を光重合性樹脂材料に直接照射するものである。
【０００３】
また、他の光照射装置として、特開昭６１−２１９０１４号公報に開示された受発光モジュールがある。この受発光モジュールは、受発光素子およびロッドレンズを有しており、これらの受発光素子およびロッドレンズが外部レセプタクルの内部に収容されて構成されているものである。
【特許文献１】特開２０００−３１６８８１号公報
【特許文献２】特開昭６１−２１９０１４号公報
【発明の開示】
【発明が解決しようとする課題】
【０００４】
しかし、上記特許文献１に開示された光照射器は、小型発光素子から発せられる光を直接被照射物である光重合性樹脂に照射するものである。このため、ロッドレンズなどを設ける場合と比べて、効果的な照射を行うことができないという問題があった。
【０００５】
これに対して、上記特許文献２に開示された受発光モジュールでは、受発光素子から発光され、また受発光素子が受光する光を集光等するためにロッドレンズが設けられている。ところが、このロッドレンズが外部レセプタクル内に受発光素子とともに収容されているため、ロッドレンズを交換する際に、非常に手間がかかるという問題があった。
【０００６】
そこで、本発明の課題は、ロッドレンズなどを設けて効果的な光の照射を可能にするとともに、このロッドレンズなどを容易に交換することができる光照射装置を提供することにある。
【課題を解決するための手段】
【０００７】
上記課題を解決した本発明に係る光照射装置は、発光素子を備える光照射ヘッドと、発光素子を駆動する駆動ユニットと、光照射ヘッドおよび駆動ユニットに接続され、発光素子に対して電力を供給する可とう性ケーブルと、を有し、光照射ヘッドは、発光素子を収容する発光素子収容部を備える発光素子ホルダユニットと、レンズを備え、発光素子ホルダユニットに対して着脱可能に固定されたレンズユニットと、を有するものである。
【０００８】
本発明に係る光照射装置においては、ロッドレンズなどのレンズを有するレンズユニットを有しているため、発光素子から発せられる光を効果的に照射することができる。また、このレンズユニットは、発光素子ホルダ部に対して着脱可能とされている。したがって、レンズユニットを容易に交換することができる。
【０００９】
ここで、発光素子収容部は、発光素子を発光素子収容部に固定する発光素子固定板を備える態様とすることができる。
【００１０】
発光素子収容部が発光素子固定板を備えることにより、発光素子収容部に発光素子をさらに確実に収容させた状態とすることができる。
【００１１】
また、発光素子収容部は、発光素子が発する熱を放射する放熱性を有する態様とすることができる。
【００１２】
発光素子収容部が放熱性を有することにより、発光素子収容部に収容される発光素子の熱を外部に放出させやすくすることができる。このため、たとえば発光素子の発熱によって光照射装置の継続使用を中断するなどの事態を回避することができる。
【００１３】
さらに、発光素子からの光を遮断可能とするシャッタが設けられている態様とすることができる。
【００１４】
このようなシャッタが設けられていることにより、光の照射、非照射を容易に変更することができる。
【００１５】
また、レンズユニットは、レンズが取り付けられる鏡筒とを備えており、レンズを鏡筒に押さえ付けるレンズ押さえ板を有する態様とすることもできる。
【００１６】
このように、レンズを鏡筒に押さえ付けるレンズ押さえ板が設けられていることにより、確実にレンズを鏡筒に取り付けた状態としておくことができる。
【発明の効果】
【００１７】
本発明によれば、ロッドレンズなどを設けて効果的な光の照射を可能にするとともに、このロッドレンズなどを容易に交換することができる光照射装置を提供することができる。
【発明を実施するための最良の形態】
【００１８】
以下、図面を参照して、本発明の好適な実施形態について説明する。なお、各実施形態において、同一の機能を有する部分については同一の符号を付し、重複する説明は省略することがある。
【００１９】
まず、本発明の第一の実施形態について説明する。図１は、本発明の第一の実施形態に係る光照射装置の要部の分解斜視図、図２は、第一の実施形態に係る光照射装置の要部を断面とした側面図、図３は、第一の実施形態に係る光照射装置の要部断面図である。
【００２０】
図１および図２に示すように、本実施形態に係る光照射装置Ｈ１は、光照射ヘッド１と、コントロール部２と、ケーブル部３とを備えている。また、光照射ヘッド１は、本発明の発光素子ホルダユニットであるＬＥＤホルダユニット１０およびレンズユニット２０とを有している。
【００２１】
ＬＥＤホルダユニット１０は、本発明の発光素子収容部（ＬＥＤ収容部）である放熱器１１を備えている。放熱器１１は、その外形が略円柱形状をなしており、両端部にそれぞれ雌ねじ１１Ａ，１１Ｂが形成され、両端部を貫通する細径の貫通孔１１Ｃが形成されている。また、放熱器１１は、放熱性を有するアルミニウム製であり、その表面には黒アルマイト膜が形成されている。このように、放熱器１１の表面に黒アルマイト膜が形成されていることにより、放熱器１１の内部の放熱性を高めている。
【００２２】
また、ＬＥＤホルダユニット１０は、ＬＥＤ固定枠１２を有している。ＬＥＤ固定枠１２の外形は、略円柱形をなしており、その先端部には、凹部１２Ａが形成されている。さらに、ＬＥＤ固定枠１２の先端面における凹部１２Ａの周囲には、小径の雌ねじ１２Ｂが形成されている。ＬＥＤ固定枠１２の外周円と同心状に形成されており、この凹部１２Ａには、本発明の発光素子であるＬＥＤ１３が固定された状態で設けられている。ＬＥＤ１３は、放熱性に優れる接着剤により、ＬＥＤ固定枠１２の凹部１２Ａに接着されて固定されている。
【００２３】
さらに、ＬＥＤ固定枠１２の内部には、スプリングプローブ１４および図２および図３に示す絶縁パイプ１５が設けられている。絶縁パイプ１５には、スプリングプローブ１４が通されており、この状態でＬＥＤ固定枠１２に収容されている。スプリングプローブ１４には、ＬＥＤ１３が接続されている。
【００２４】
また、ＬＥＤ固定枠１２における基端側には、雄ねじ部１２Ｃが設けられている。雄ねじ部１２Ｃは、放熱器１１の先端に形成された雌ねじ１１Ａにねじ込み可能とされている。ＬＥＤ固定枠１２の雄ねじ部１２Ｃが放熱器１１の雌ねじ１１Ａにねじ込まれることにより、ＬＥＤ固定枠１２が放熱器１１に固定されている。
【００２５】
ＬＥＤ固定枠１２における先端面側には、本発明の発光素子固定板であるＬＥＤ押さえ板１６が配設されている。ＬＥＤ押さえ板１６は、外形が略円盤形状をなしており、その中央部に貫通孔１６Ａが形成されている。また、貫通孔１６Ａを挟んで互いに対称となる位置に、それぞれ貫通雌ねじ１６Ｂが形成され、貫通雌ねじ１６Ｂとずれた位置で貫通孔１６Ａを挟んで互いに対称となる位置に、雌ねじ１６Ｃが形成されている。貫通雌ねじ１６Ｂは、ＬＥＤ固定枠１２に形成された雌ねじ１２Ｂと同径とされている。
【００２６】
一方、レンズユニット２０は、鏡筒２１を有している。鏡筒２１は、レンズ挿入部２２とフランジ部２３とを備えており、レンズ挿入部２２は、略円筒形状をなしている。また、フランジ部２３は、レンズ挿入部２２の基端側にフランジ状に形成されており、外形は略円盤状をなしている。
【００２７】
フランジ部２３におけるレンズ挿入部２２を中心として互いに対称となる位置には、それぞれ貫通雌ねじ２３Ａが形成されている。この貫通雌ねじ２３Ａは、ＬＥＤ押さえ板１６に形成された雌ねじ１６Ｃと同径とされている。
【００２８】
フランジ部２３に形成された貫通雌ねじ２３Ａには、小ねじ２５がねじ込まれた状態で貫通している。この小ねじ２５の先端部は、ＬＥＤ押さえ板１６に形成された雌ねじ１６Ｃにねじ込まれる。こうして、小ねじ２５が鏡筒２１におけるフランジ部２３の貫通雌ねじ２３ＡおよびＬＥＤ押さえ板１６に形成された雌ねじ１６Ｃにねじ込まれることにより、鏡筒２１がＬＥＤ押さえ板１６に固定される。こうして、レンズユニット２０がＬＥＤホルダユニット１０に固定される。
【００２９】
さらに、鏡筒２１におけるレンズ挿入部２２には、本発明のレンズであるロッドレンズ２４が挿入されている。ロッドレンズ２４は、円柱形状の両端面にそれぞれ凸形を形成した形状をなしている。ＬＥＤ１３から出射される光は、ロッドレンズ２４の基端面から入射し、先端面から出射される。ロッドレンズ２４の先端面から出射された光は、集光されまたは平行とされた状態となる。
【００３０】
また、コントロール部２は、筐体を備えており、筐体の内部にＬＥＤ１３を駆動するＬＥＤ駆動回路２Ａが設けられている。また、筐体には、ＬＥＤ制御回路２Ｂ、電源回路２Ｃ、および操作パネル２Ｄが設けられている。この操作パネル２Ｄを操作することにより、ＬＥＤ制御回路２ＢからＬＥＤ駆動回路２Ａに制御信号が出力される。また、ＬＥＤ駆動回路２Ａと可とう性ケーブル３２とは、ソケット３１を介して接続されている。コントロール部２は、複数のケーブル部３を備えており、複数のＬＥＤを駆動させることができる構成とされている。
【００３１】
さらに、ケーブル部３における可とう性ケーブル３２内には、導電線３３が収容されている。導電線３３の基端部は、ソケット３１に接続されており、導電線３３の先端部は光照射ヘッド１におけるＬＥＤホルダユニット１０の貫通孔１１Ｃを貫通し、スプリングプローブ１４に接続されている。可とう性ケーブル３２内の導電線３３により、ＬＥＤ駆動回路２Ｂから出力される電力が、配線、導電線３３およびスプリングプローブ１４を介してＬＥＤ１３に供給される。
【００３２】
また、ケーブル部３には、ケーブルクランプ３４が設けられている。ケーブルクランプ３４における先端部には、雄ねじ３５が設けられている。この雄ねじ３５がＬＥＤホルダユニット１０の放熱器１１の基端側に形成された雌ねじ１１Ｂにねじ込まれることにより、ケーブル部３におけるケーブルクランプ３４がＬＥＤホルダユニット１０における放熱器１１に固定される。こうして、光照射ヘッド１におけるＬＥＤホルダユニット１０と、ケーブル部３とが、機械的に接続された状態となる。
【００３３】
本実施形態に係る光照射装置Ｈ１は、小型のものであり、たとえば放熱器１１の径が１６ｍｍに設定されており、狭い場所に対して光を照射することができる。具体的には、照射光の径が５ｍｍ以下となる。この光照射装置Ｈ１は、たとえばＵＶ接着剤の硬化などに用いることができる。
【００３４】
以上の構成を有する本実施形態に係る光照射装置Ｈ１においては、ＬＥＤ駆動回路２Ａからケーブル２内の配線、ケーブル部３の導電線３３、およびＬＥＤホルダユニット１０のスプリングプローブ１４を介してＬＥＤ１３に電力が供給されることにより、ＬＥＤ１３から光が出射される。ＬＥＤ１３から出射された光は、レンズユニット２０におけるロッドレンズ２４によって集光されて照射される。
【００３５】
この本実施形態に係る光照射装置Ｈ１では、ＬＥＤホルダユニット１０とレンズユニット２０とは、小ねじ２５によって固定され、着脱可能とされている。このため、小ねじ２５を取り外すのみで、ＬＥＤホルダユニット１０とレンズユニット２０とを取り外すことができるようになっているので、たとえば使い捨てのレンズユニット２０を用いる場合などに、その交換が容易なものとなる。また、用途に応じてレンズユニット２０におけるレンズの種類を変更する場合などにも、容易に対応することができる。
【００３６】
また、本実施形態に係る光照射装置Ｈ１は、レンズユニット２０によってロッドレンズ２４が取り付けられた状態にあることから、ＬＥＤ１３から出射される光を集光することができる。したがって、好適に光の照射を行うことができる。また、用途に応じて、レンズユニット２０におけるレンズを交換することにより、用途に応じた光を容易に照射することができる。
【００３７】
さらに、本実施形態に係る光照射装置Ｈ１では、ＬＥＤ１３が放熱器１１に収容されている。このため、ＬＥＤ１３から発せられる熱を放熱器１１によって好適に放散することができる。したがって、ＬＥＤ１３の温度上昇を抑制することができ、長時間の使用を行うことができる。
【００３８】
次に、本発明の第二の実施形態について説明する。本実施形態に係る光照射装置は、上記第一の実施形態と比較して、光照射ヘッドにおけるＬＥＤホルダユニットの構成が主に異なっている。図４は、本発明の第二の実施形態に係る光照射装置の要部の分解斜視図である。
【００３９】
図４に示すように、本実施形態に係る光照射装置Ｈ２における光照射ヘッド４が備えるＬＥＤホルダユニット４０は、上記第一の実施形態と同様の放熱器１１、ＬＥＤ固定枠１２、ＬＥＤ１３、スプリングプローブ１４、および図示しない絶縁パイプを備えている。また、ＬＥＤ押さえ板１６に代えて、溝付ＬＥＤ押さえ板４１、シャッタ４２、およびスペーサ４３が設けられている。
【００４０】
溝付ＬＥＤ押さえ板４１は、外形が略円盤状をなしており、その中心部に貫通孔４１Ａが形成されている。また、貫通孔４１Ａを挟んで互いに対称となる位置に、それぞれ貫通雌ねじ４１Ｂが形成され、貫通雌ねじ４１Ｂとずれた位置で貫通孔４１Ａを挟んで互いに対称となる位置に、雌ねじ４１Ｃが形成されている。貫通雌ねじ４１Ｂは、ＬＥＤ固定枠１２に形成された雌ねじ１２Ｂと同径とされており、雌ねじ４１Ｃは、鏡筒２１のフランジ部２３に形成された貫通雌ねじ２３Ａと同径とされている。
【００４１】
さらに、溝付ＬＥＤ押さえ板４１の一面側（ＬＥＤ１３側）には、溝４１Ｄが形成されている。溝４１Ｄは、ＬＥＤ１３から出射される光の進行方向に直交する方向に沿って形成されており、貫通雌ねじ４１Ｂとはずれた位置に配置されている。
【００４２】
シャッタ４２は、正面視した形状が略長方形である薄い板状をなしており、その中央部に貫通孔４２Ａが形成されている。貫通孔４２Ａは、溝付ＬＥＤ押さえ板４１の中央部に形成された貫通孔４１Ａと同径とされている。シャッタ４２における長辺部は、溝付ＬＥＤ押さえ板４１に形成された溝４１Ｄに沿って配置されており、この長辺部と溝４１Ｄとが摺動することにより、シャッタ４２は、ＬＥＤ１３から出射される光の進行方向に対して直交する方向に移動可能とされている。
【００４３】
また、シャッタ４２の両端部には、それぞれストッパ４２Ｂ，４２Ｃが設けられている。ストッパ４２Ｂ，４２Ｃが設けられていることにより、シャッタ４２の移動が抑制され、シャッタ４２の溝付ＬＥＤ押さえ板４１からの抜け落ちが防止されている。
【００４４】
スペーサ４３は、シャッタ４２とほぼ同厚の薄い円盤状をなしており、その中央部に貫通孔４３Ａが形成されている。貫通孔４３Ａは、スペーサ４３に形成された貫通孔４２Ａと同径とされている。また、貫通孔４３Ａを挟んでそれぞれ対称となる位置には、小貫通孔４３Ｂが形成されている。この小貫通孔４３Ｂは、溝付ＬＥＤ押さえ板４１における貫通雌ねじ４１Ｂとほぼ同径とされている。
【００４５】
溝付ＬＥＤ押さえ板４１に形成された貫通雌ねじ４１Ｂには、ねじ１７がねじ込まれた状態で貫通している。また、ねじ１７は、スペーサ４３の貫通孔４３Ａを貫通し、ねじ１７の先端部は、ＬＥＤ固定枠１２に形成された雌ねじ１２Ｂにねじ込まれている。こうして、ねじ１７がＬＥＤ押さえ板１６における貫通雌ねじ１６ＢおよびＬＥＤ固定枠１２に形成された雌ねじ１２Ｂにねじ込まれることにより、ＬＥＤ固定枠１２の凹部１２Ａに収容されたＬＥＤ１３がスペーサ４３を介して溝付ＬＥＤ押さえ板４１によって押さえ込まれる。このようにして、ＬＥＤ１３が溝付ＬＥＤ押さえ板４１によって固定される。
【００４６】
本実施形態に係る光照射装置Ｈ２におけるその他の点については、上記第一の実施形態で説明した光照射装置Ｈ１と同様の構成とされている。
【００４７】
以上の構成を有する本実施形態に係る光照射装置Ｈ２においては、上記第一の実施形態と同様の動作により、ＬＥＤ１３から出射された光が集光されて照射される。また、ＬＥＤホルダユニット４０とレンズユニット２０とを取り外すことができるので、レンズユニット２０の交換などを容易に行うことができる。さらには、ＬＥＤ１３の温度上昇を抑制することができ、長時間の使用を行うことができる。
【００４８】
さらに、本実施形態に係る光照射装置Ｈ２においては、ＬＥＤホルダユニット４０にシャッタ４２が設けられている。このシャッタ４２を移動させ、シャッタ４２の貫通孔４２ＡをＬＥＤ１３から出射される光の通過部に合わせることにより、ＬＥＤ１３からの光を照射することができる。また、シャッタ４２を移動させ、貫通孔４２Ａをこの通過部から外すことにより、ＬＥＤ１３からの光の照射を遮断することができる。このように、シャッタ４２の動作のみで、ＬＥＤ１３からの照射、非照射を容易に変更することができる。
【００４９】
続いて、本発明の第三の実施形態について説明する。本実施形態に係る光照射装置は、上記第一の実施形態と比較して、光照射ヘッドにおけるレンズユニットの構成が主に異なっている。図５は、本発明の第三の実施形態に係る光照射装置の要部の分解斜視図である。
【００５０】
図５に示すように、本実施形態に係る光照射装置Ｈ３における光照射ヘッド５が備えるレンズユニット５０は、上記第一，第二の実施形態と同様、レンズ挿入部２２とフランジ部２３とを有する鏡筒２１を備えている。また、鏡筒２１におけるレンズ挿入部２２には、ロッドレンズ２４が挿入されている。
【００５１】
さらに、本実施形態に係るレンズユニット５０は、レンズ押さえ板５１を備えている。レンズ押さえ板５１は、円盤状の外形を有しており、レンズ押さえ板５１の中央部に貫通孔５１Ａが形成されている。また、レンズ押さえ板５１には、貫通孔５１Ａを挟んで互いに対称となる位置に、それぞれ第一小貫通孔５１Ｂが形成され、第一小貫通孔５１Ｂとずれた位置で貫通孔５１Ａを挟んで互いに対称となる位置に、第二小貫通孔５１Ｃが形成されている。小貫通孔５１Ｂ，５１Ｃは、いずれも鏡筒２１のフランジ部２３に形成された貫通雌ねじ２３Ａと同径とされている。また、フランジ部２３におけるＬＥＤ１３側の第一小貫通孔５１Ｂに対応する位置には、それぞれ図示しない雌ねじが形成されている。この雌ねじは、第一小貫通孔５１Ｂと同径とされている。
【００５２】
さらに、レンズ押さえ板５１は、第一小貫通孔５１Ｂを貫通する小ねじ５２を備えている。この小ねじ５２が、鏡筒２１におけるフランジ部２３に形成された雌ねじにねじ込まれることによって鏡筒２１に固定されている。
【００５３】
本実施形態に係る光照射装置Ｈ３におけるその他の点については、上記第一の実施形態で説明した光照射装置Ｈ１と同様の構成とされている。
【００５４】
以上の構成を有する本実施形態に係る光照射装置Ｈ３においては、上記第一，第二の実施形態と同様の動作により、ＬＥＤ１３から出射された光が集光されて照射される。また、ＬＥＤホルダユニット１０とレンズユニット５０とを取り外すことができるので、レンズユニット５０の交換などを容易に行うことができる。さらには、ＬＥＤ１３の温度上昇を抑制することができ、長時間の使用を行うことができる。
【００５５】
さらに、本実施形態に係る光照射装置Ｈ３では、レンズユニット５０にレンズ押さえ板５１が設けられており、小ねじ５２によって鏡筒２１のフランジ部２３に固定されている。このため、鏡筒２１のレンズ挿入部２２に挿入されたロッドレンズ２４の脱落が防止され、ロッドレンズ２４をレンズ挿入部２２に確実に挿入された状態としておくことができる。
【００５６】
次に、本発明の第四の実施形態について説明する。本実施形態に係る光照射装置は、上第一の実施形態と比較して、光照射ヘッドの構成が主に異なっている。図６は、本発明の第四の実施形態に係る光照射装置の要部の分解斜視図である。
【００５７】
図６に示すように、本実施形態に係る光照射装置Ｈ４における光照射ヘッド６は、上記第二の実施形態で用いたＬＥＤホルダユニット４０と、上記第三の実施形態で用いたレンズユニット５０とを備えており、これらのＬＥＤホルダユニット４０とレンズユニット５０とが、小ねじ２５によって固定されている。その他の点については、上記第一の実施形態と同様の構成を有している。
【００５８】
以上の構成を有する本実施形態に係る光照射装置Ｈ４においては、上記各実施形態と同様の動作により、ＬＥＤ１３から出射された光が集光されて照射される。また、ＬＥＤホルダユニット４０とレンズユニット５０とを取り外すことができるので、レンズユニット５０の交換などを容易に行うことができる。さらには、ＬＥＤ１３の温度上昇を抑制することができ、長時間の使用を行うことができる。
【００５９】
また、上記第二の実施形態と同様、シャッタ４２の動作のみで、ＬＥＤ１３からの照射、非照射を容易に変更することができる。さらに、上記第三の実施形態と同様、鏡筒２１のレンズ挿入部２２に挿入されたロッドレンズ２４の脱落が防止され、ロッドレンズ２４をレンズ挿入部２２に確実に挿入された状態としておくことができる。
【００６０】
以上、本発明の好適な実施形態について説明したが、本発明は上記の実施形態に限定されるものではない。たとえば、上記各実施形態では、レンズとしてロッドレンズを用いているが、図７に示すようなガラスロッドを用いる態様とすることができる。図７では、第四の実施形態で示した光照射装置Ｈ４におけるロッドレンズをガラスロッド６０に交換した態様を示している。
【００６１】
図７に示すように、ガラスロッド６０は、円柱形状をなしており、鏡筒２１におけるレンズ挿入部２２に挿入する態様とすることができる。ガラスロッド６０を用いることにより、ＬＥＤ１３から出射された光を拡散光として照射することができる。
【００６２】
また、ロッドレンズを用いる場合でも、両端部に形成されるレンズ部の曲率を適宜変更したロッドレンズを用いる態様とすることができる。
【図面の簡単な説明】
【００６３】
【図１】第一の実施形態に係る光照射装置の要部の分解斜視図である。
【図２】第一の実施形態に係る光照射装置の要部を断面とした側面図である。
【図３】第一の実施形態に係る光照射装置の要部断面図である。
【図４】第二の実施形態に係る光照射装置の要部の分解斜視図である。
【図５】第三の実施形態に係る光照射装置の要部の分解斜視図である。
【図６】第四の実施形態に係る光照射装置の要部の分解斜視図である。
【図７】ガラスロッドを用いた光照射装置の要部断面図である。
【符号の説明】
【００６４】
１，４，５，６…光照射ヘッド、２…コントロール部、２Ａ…ＬＥＤ駆動回路、２Ｂ…ＬＥＤ制御回路、２Ｃ…電源回路、２Ｄ…操作パネル、３…ケーブル部、１０…ＬＥＤホルダユニット、１１…放熱器、１２…ＬＥＤ固定枠、１３…ＬＥＤ、１４…スプリングプローブ、１５…絶縁パイプ、１６…ＬＥＤ押さえ板、１７…ねじ、２０…レンズユニット、２１…鏡筒、２２…レンズ挿入部、２３…フランジ部、２４…ロッドレンズ、２５…小ねじ、３１…ソケット、３２…可とう性ケーブル、３３…導電線、３４…ケーブルクランプ、３５…雄ねじ、４０…ＬＥＤホルダユニット、４１…溝付ＬＥＤ押さえ板、４２…シャッタ、４２Ｂ，４２Ｃ…ストッパ、４３…スペーサ、５０…レンズ、５０…レンズユニット、５１…レンズ押さえ板、５２…小ねじ、６０…ガラスロッド、Ｈ１〜Ｈ４…光照射装置。
【図１】
2005251588.tif 000003
【図２】
2005251588.tif 000004
【図３】
2005251588.tif 000005
【図４】
2005251588.tif 000006
【図５】
2005251588.tif 000007
【図６】
2005251588.tif 000008
【図７】
2005251588.tif 000009